(57)【要約】【課題】主に、建物の外側からから行う作業を減らして作業負担を軽減することなどができるようにする。【解決手段】建物１の外面を構成する面材２間の目地部３に設置して、目地部３を覆い隠すと共に、目地部３を防水する目地カバー部材４に関する。  面材２の外面側から目地部３へ挿通可能なボルト部１１と、面材２の外面側に位置するボルト部１１の頭部１１ａを支持固定するボルト支持部１２と、ボルト支持部１２を外面側から覆うカバー部１３と、を備える。  ボルト支持部１２の内面側には、面材２の端縁部６間を防水可能な第１の防水材２１を有しても良い。  第１の防水材２１は、ボルト支持部１２の端部から目地部３の延設方向へ延びる延長部２５を有しても良い。  ボルト支持部１２とカバー部１３との間には、第２の防水材３１を有しても良い。【選択図】図４
2019015123.tif 000002
【特許請求の範囲】
【請求項１】
建物の外面を構成する面材間の目地部に設置して、前記目地部を覆い隠すと共に、前記目地部を防水する目地カバー部材において、
前記面材の外面側から前記目地部へ挿通可能なボルト部と、前記面材の外面側に位置する前記ボルト部の頭部を支持固定するボルト支持部と、該ボルト支持部を外面側から覆うカバー部と、を備えたことを特徴とする目地カバー部材。
【請求項２】
請求項１に記載の目地カバー部材において、
前記ボルト支持部の内面側に、前記面材の端縁部間を防水可能な第１の防水材を有することを特徴とする目地カバー部材。
【請求項３】
請求項２に記載の目地カバー部材において、
前記第１の防水材は、前記ボルト支持部の端部から前記目地部の延設方向へ延びる延長部を有することを特徴とする目地カバー部材。
【請求項４】
請求項１ないし請求項３のいずれか１項に記載の目地カバー部材において、
前記ボルト支持部と前記カバー部との間に、第２の防水材を有することを特徴とする目地カバー部材。
【請求項５】
請求項１ないし請求項４のいずれか１項に記載の目地カバー部材において、
前記カバー部は、端部近傍の外面に化粧材を固定可能な化粧材固定部を有することを特徴とする目地カバー部材。
【請求項６】
屋根面材間の目地部に、請求項１ないし請求項５のいずれか１項に記載の目地カバー部材を設置したことを特徴とする屋根。
【請求項７】
請求項６に記載の屋根において、
前記目地カバー部材は、前記屋根面材間の目地部にボルト部を外面側から挿通した状態で、前記屋根面材の内面側からワッシャ付ナット部材を螺着することによって前記屋根面材に固定されていることを特徴とする屋根。
【請求項８】
請求項６または請求項７に記載の屋根において、
前記目地カバー部材は、カバー部に設けた化粧材固定部に化粧材が固定されていることを特徴とする屋根。
【発明の詳細な説明】
【技術分野】
【０００１】
この発明は、目地カバー部材および屋根に関するものである。
【背景技術】
【０００２】
戸建て住宅などの建物には、その外面に面材が取付けられている。この面材間の目地部に目地カバー部材を設置して、目地カバー部材で目地部を覆い隠すと共に、目地カバー部材で目地部を防水することが行われている（例えば、特許文献１〜特許文献５参照）。
【先行技術文献】
【特許文献】
【０００３】
【特許文献１】特開２００５−２３５９０号公報
【特許文献２】特開平１０−１６９１３０号公報
【特許文献３】特開昭５９−８５０５９号公報
【特許文献４】特開昭６０−１７３２５２号公報
【特許文献５】特公平９−１４４２２８号公報
【発明の概要】
【発明が解決しようとする課題】
【０００４】
しかしながら、上記特許文献１〜特許文献５に記載された目地カバー部材は、いずれも、屋根に対するものであり、特許文献１のように、面材の近接する端縁部間を連結部材で屋根の上側から連結固定した後で、連結部材の上側から目地カバー部材をハゼ嵌合などで取付けることで連結部材を覆い隠すようにするのが一般的となっていた。そのため、屋根の上で行う作業が多くなり、作業負担が大きかった。
【０００５】
なお、特許文献２では、屋根の上に、太陽光パネルを取付けるようにしている。特許文献３は、既設屋根の上に同様の構造の新設屋根を設けるようにしている。特許文献４は、屋根の上に、太陽熱収集装置を取付けるようにしている。特許文献５は、屋根面上に太陽電池パネルをフラットな状態で配置できるようにしている。この際、太陽電池パネルは、ボルトで屋根面に取付けられた瓦棒キャップに対し、覆板とビスとを用いて固定するようにしている。そのため、瓦棒キャップとボルトと覆板とビスとはそれぞれ別部材となっており、部品点数が多くなると共に、太陽電池パネルの取付構造が複雑になっていた。そして、これらの文献はいずれも、特許文献１と同様に屋根の上で行う作業が多く作業負担が大きかった。
【０００６】
そこで、本発明は、主に、上記した問題点を解決することを目的としている。
【課題を解決するための手段】
【０００７】
上記課題を解決するために、本発明は、建物の外面を構成する面材間の目地部に設置して、前記目地部を覆い隠すと共に、前記目地部を防水する目地カバー部材において、前記面材の外面側から前記目地部へ挿通可能なボルト部と、前記面材の外面側に位置する前記ボルト部の頭部を支持固定するボルト支持部と、該ボルト支持部を外面側から覆うカバー部と、を備えたことを特徴とする。また、上記目地カバー部材を備えた屋根を特徴とする。
【発明の効果】
【０００８】
本発明によれば、上記構成によって、建物の外側から行う作業を減らして作業負担を低減することなどができる。
【図面の簡単な説明】
【０００９】
【図１】本実施の形態にかかる建物の外面（例えば、屋根）に対して面材（屋根面材）を取付ける様子を示す斜視図である。
【図２】面材（屋根面材）間の目地部に目地カバー部材を取付ける様子を示す図１と同様の斜視図である。
【図３】図２の部分的な縦断面図である。
【図４】図３の部分拡大図である。
【図５】目地カバー部材を示す部品図である。このうち、（ａ）は平面図、（ｂ）は側面図、（ｃ）は（ｂ）のＡ−Ａ線に沿った縦断面図、（ｄ）は（ｂ）のＢ−Ｂ線に沿った縦断面図である。
【図６】ボルト支持部を示す部品図である。このうち、（ａ）は平面図、（ｂ）は側面図、（ｃ）は（ｂ）のＣ−Ｃ線に沿った縦断面図である。
【図７】ボルト支持部に対するボルト部の取付けの様子を示す斜視図である。このうち、（ａ）はボルト部を固定した状態、（ｂ）は、ボルト部の頭部をコーキングする状態である。
【図８】カバー部を示す部品図である。このうち、（ａ）は底面図、（ｂ）は側面図、（ｃ）は（ｂ）のＤ−Ｄ線に沿った縦断面図、（ｄ）は（ｂ）のＥ−Ｅ線に沿った縦断面図である。
【図９】第１の防水材の延長部を示す斜視図である。
【図１０】第１の防水材の延長部を目地部に対して取付ける様子を示す図であり、（ａ）は斜視図、（ｂ）は（ａ）のＦ−Ｆに沿った縦断面図である。
【図１１】化粧材固定部を示す図であり、（ａ）は側面図、（ｂ）は平面図である。
【図１２】屋根面材の構成を示す斜視図であり、（ａ）は木枠パネルにルーフィング材を葺いた状態、（ｂ）はルーフィング材を葺いた木枠パネルに瓦材および目地カバーを取付ける状態である。
【図１３】ワッシャ付ナット部材を示す図であり、（ａ）は平面図、（ｂ）は側面図である。
【発明を実施するための形態】
【００１０】
以下、本実施の形態を、図面を用いて詳細に説明する。
図１〜図１３は、この実施の形態を説明するためのものである。
【実施例１】
【００１１】
＜構成＞以下、構成について説明する。
【００１２】
図１に示すように、戸建て住宅などの建物１には、その外面に各種の面材２が取付けられている。図２（〜図４）に示すように、この面材２間の目地部３に目地カバー部材４を設置して、目地カバー部材４で目地部３を覆い隠すと共に、目地カバー部材４で目地部３を防水する。
【００１３】
ここで、建物１は、予め工場で製造した複数の建物ユニット５を建築現場へ搬送して、建築現場で組み立てることで短期間のうちに構築できるようにしたユニット建物１ａなどとすることができる。ユニット建物１ａには、鉄骨系のものと木質系のものとが存在している。但し、建物１は、ユニット建物１ａに限るものではない。
【００１４】
建物１の外面に取付ける面材２には、例えば、屋根面材２ａや、外壁面材２ｂなどがあり、そのどちらでも良い。目地部３は、面材２の近接する端縁部６（図３参照）間に形成される隙間である。目地カバー部材４は、目地部３の延設方向（図３の紙面と直交する方向）へ延びる長尺の部材とされる。上記した目地カバー部材４は、建築現場で面材２間の目地部３に取付けられるもの（現地施工用目地カバー）となっている。
【００１５】
そして、以上のような基本的または全体的な構成に対し、この実施例は、以下のような構成を備えている（以下、図１〜図４も併せて参照）。
【００１６】
（１）まず、目地カバー部材４について説明する。
図４（図５）に示すように、目地カバー部材４は、面材２の外面側から目地部３へ挿通可能なボルト部１１と、面材２の外面側に位置するボルト部１１の頭部１１ａを支持固定するボルト支持部１２と、ボルト支持部１２を外面側から覆うカバー部１３と、を備える。
【００１７】
ここで、ボルト部１１とボルト支持部１２とカバー部１３とは、別々の部材で構成されると共に、工場で予め一体化されて１つの組立部品とされる。
【００１８】
ボルト部１１は、頭部１１ａと、目地部３へ挿通される胴部１１ｂとを有している。頭部１１ａは、通常のボルトの頭部よりも薄型にする。頭部１１ａの薄さは、例えば、ボルト支持部１２の板厚よりも若干厚い程度とする。胴部１１ｂは、面材２の外面側から内面側へ向けて長く延びて、面材２の内面側へ突出するものとされる。胴部１１ｂは、少なくとも、目地カバー部材４の高さと面材２の厚みとの和よりも長くする。胴部１１ｂは、外周に雄ネジ部を有している。ボルト部１１は、目地カバー部材４の長手方向に間隔を有して複数設置される。
【００１９】
図６に示すように、ボルト支持部１２は、目地部３の延設方向へ延びる金属製の長尺部材で構成される。ボルト支持部１２は、面材２と平行に設置される頂面部１２ａと、頂面部１２ａの両側部から屈曲されて面材２側へ延びる側面部１２ｂとを有している。頂面部１２ａは、ボルト部１１の頭部１１ａの直径よりも広幅とされる。頂面部１２ａの両側部には下り勾配に延びる斜面部１２ｃを設けても良い。頂面部１２ａおよび斜面部１２ｃは、目地部３の間隔よりも広い幅寸法に形成される。
【００２０】
そして、図７に示すように、ボルト支持部１２に対し、ボルト部１１は、頂面部１２ａに設けた取付孔へ上方から胴部１１ｂを通してボルト部１１の頭部１１ａが頂面部１２ａの外面に係止された状態で、頭部１１ａを頂面部１２ａの外面に溶接などによって固定される（図７（ａ）参照）。更に、ボルト部１１の頭部１１ａは、少なくとも周囲をコーキング剤１５によってコーキングされる（図７（ｂ）参照）。
【００２１】
図８に示すように、カバー部１３は、目地部３の延設方向へ延びる金属製の長尺部材で構成される。カバー部１３は、ボルト支持部１２とほぼ同じ長さとされる。カバー部１３は、ボルト支持部１２を内部に収容し得るように、ボルト支持部１２をほぼ一回り大きくしたような形状のものとされる。即ち、カバー部１３は、面材２と平行に設置される頂面部１３ａと、頂面部１３ａの両側部から屈曲されて面材２側へ延びる側面部１３ｂとを有している。頂面部１３ａの両側部には下り勾配に延びる斜面部１３ｃを設けても良い。カバー部１３の頂面部１３ａ、側面部１３ｂ、斜面部１３ｃは、ボルト支持部１２の頂面部１２ａ、側面部１２ｂ、斜面部１２ｃとそれぞれほぼ平行なものとされる。
【００２２】
そして、ボルト支持部１２とカバー部１３とは、左右の側面部１２ｂと側面部１３ｂとの間を、ステンレスなどの耐食性の高い金属でできたリベット１６（図４参照）などの固定具を用いて一体に固定される。リベット１６は、目地カバー部材４の長手方向に間隔を有して複数設けられる。
【００２３】
（２）図４に示すように、目地カバー部材４は、ボルト支持部１２の内面側に、面材２の端縁部６間を防水可能な第１の防水材２１を有しても良い（図６（ｃ）参照）。
【００２４】
ここで、第１の防水材２１には、例えば、エプトシーラーブチルなどのような厚手のゴム系発泡体を用いることができる。第１の防水材２１は、一本物の長尺材とされる。第１の防水材２１は、ボルト支持部１２の（頂面部１２ａから側面部１２ｂの下端部までの）高さとほぼ同程度の厚みを有するものとされる。
【００２５】
第１の防水材２１は、ボルト支持部１２（の頂面部１２ａや斜面部１２ｃ）の内面に接着などによって固定することができる。第１の防水材２１には、ボルト部１１を通すための孔などを予め設けておくようにする。
【００２６】
第１の防水材２１は、隣接する面材２の端縁部６間に圧着することで目地部３の防水を行うものとされる。図６（ｃ）に示すように、第１の防水材２１の裏面には、面材２の端縁部６間に貼り付けることができるように粘着剤層２１ａを設けるのが好ましい。粘着剤層２１ａは、目地カバー部材４を目地部３に接着するまでの間は離型紙２２を取付けて保護しておくようにする。
【００２７】
（３）図９に示すように、第１の防水材２１は、ボルト支持部１２の端部から目地部３の延設方向へ延びる延長部２５を有するようにしても良い（図６参照）。
【００２８】
ここで、延長部２５は、ボルト支持部１２の一端部または両端部から延ばすことができる。延長部２５は、例えば、目地部３に対する目地カバー部材４の長さの不足分を補う長さなどとなるように設けることができる。なお、目地カバー部材４の設置の際には、延長部２５が邪魔にならないように、延長部２５を折り返しておくのが好ましい。
【００２９】
そして、図１０に示すように、第１の防水材２１の延長部２５は、目地部３に目地カバー部材４を取付けた後で、目地カバー部材４では覆い隠せなかった部分などに取付けて、防水を行わせ得るようにする。なお、第１の防水材２１や延長部２５の取付けに際しては、離型紙２２を剥がして目地部３を構成する面材２の端縁部６間に粘着剤層２１ａを接着させるようにする。また、狭い箇所への延長部２５の取付けには、シノなどと呼ばれる先の尖った工具２６を用いるようにしても良い（図１０（ｂ）参照）。また、延長部２５の取付け後には、延長部２５の側面などをコーキング剤１５によってコーキングしておくようにする（図１０（ａ）参照）。
【００３０】
（４）図４に示すように、目地カバー部材４は、ボルト支持部１２とカバー部１３との間に、第２の防水材３１を有するようにしても良い（図８参照）。
【００３１】
ここで、第２の防水材３１は、ブチルテープなどのような（住宅用）粘着テープを用いることができる。第２の防水材３１は、カバー部１３とほぼ同じ長さの一本物の長尺材とされる。第２の防水材３１は、ボルト支持部１２やカバー部１３の板厚などとほぼ同程度またはそれ以上の厚みを有するものとしても良い。第２の防水材３１は、カバー部１３（の頂面部１３ａや斜面部１３ｃ）の内面に接着固定される。第２の防水材３１は、カバー部１３の内面とボルト支持部１２の外面との間で挟着保持することで防水を行うものとされる。なお、第２の防水材３１は、ボルト支持部１２の外面に接着するようにしても良い。
【００３２】
（５）図８に示すように、カバー部１３は、端部近傍の外面に化粧材３５（図２参照）を固定可能な化粧材固定部３６を有するようにしても良い。
【００３３】
ここで、化粧材３５は、例えば、図２に示すような、目地部３と直交する方向へ延びて、建物１の外面の縁部に取付けるようにした化粧カバーなどとすることができる。化粧材固定部３６は、図１１に示すような取付金具とすることができる。この化粧材固定部３６は、金属帯板を幅方向に延びる折れ線部に沿って曲げ加工したものなどとされており、主に、化粧材３５を取付けるための頂部３６ａと、この頂部３６ａを面材２の表面などに支持するための左右一対の脚部３６ｂとを有している。脚部３６ｂの先端部には、面材２の表面に当接可能なように外曲部などを設けても良い。
化粧材固定部３６は、カバー部１３を跨ぐように設置される。化粧材固定部３６の頂部３６ａには、その中央部にカバー部１３（の頂面部１３ａ）の外面へ取付けるための凹部３６ｃを有している。凹部３６ｃは、取付孔を有すると共に、この取付孔の部分がリベットなどの固定具３８を用いてカバー部１３に取付けられている。更に、リベットの頭部は、コーキング剤１５でコーキングすることによって外部から覆い隠されている（図８（ｄ）参照）。
【００３４】
（６）次に、上記した目地カバー部材４を具体的に適用する建物１の外面としての屋根４１について説明する。
図２に示すように、屋根４１は、屋根面材２ａ間の目地部３に、上記した目地カバー部材４を設置したものとされている。
【００３５】
ここで、面材２を屋根面材２ａとする。この実施例では、屋根４１は、例えば、水平屋根部４１ａと、水平屋根部４１ａの縁部から下り勾配に延びる傾斜屋根部４１ｂとを有するものとなっている。水平屋根部４１ａは平面視矩形状とされ、傾斜屋根部４１ｂは台形状とされている。傾斜屋根部４１ｂは、水平屋根部４１ａの周囲を取り囲むように、水平屋根部４１ａの各縁部に設けられている。目地部３は、傾斜屋根部４１ｂに沿って、斜め上下方向に延設されている。但し、屋根４１の構成は、上記に限るものではない。
【００３６】
そして、台形状の傾斜屋根部４１ｂは、平面視三角形状の屋根面材２ａや、平面視四角形状の屋根面材２ａなどの複数の屋根面材２ａを組み合わせることによって構成されている。そして、これらの屋根面材２ａ間の目地部３に対して、上記した目地カバー部材４（現地施工用目地カバー）が建築現場で設置される。
【００３７】
なお、屋根面材２ａは、図１２（ａ）に示すように、木枠パネル４５の上面に樹脂製の大判のルーフィング材４６を一枚葺きした後、図１２（ｂ）に示すように、その上に傾斜屋根部４１ｂの流れ方向へ延びる細長い金属製などの屋根仕上材４７などを横に複数枚並設して、屋根仕上材４７間に（上記した目地カバー部材４とは異なる工場施工用の）目地カバー４８を取付けたものなどとすることができる。この屋根面材２ａは、工場で予め作られる。
【００３８】
そして、屋根面材２ａの両端に位置する屋根仕上材４７には、屋根面材２ａの端縁部６となる縁部に、ハゼ状の折曲部４７ａ（図４参照）を立ち上げ形成しても良い。そして、この折曲部４７ａの頂部に対して、第１の防水材２１を圧着しても良い。
【００３９】
（７）図４に示すように、屋根４１は、目地カバー部材４が、屋根面材２ａ間の目地部３にボルト部１１を外面側から挿通した状態で、屋根面材２ａの内面側からワッシャ付ナット部材５１を螺着することによって屋根面材２ａに固定されるようにしても良い。
【００４０】
ここで、ワッシャ付ナット部材５１は、図１３に示すように、目地部３の幅寸法よりも大径のワッシャ部５１ａにナット部５１ｂを一体に取付けた部材となっている。ワッシャ部５１ａは円形とされ、ナット部５１ｂは六角形状とされている。ワッシャ部５１ａとナット部５１ｂとは同心状に固定されている。
【００４１】
図３に示すように、目地部３の内面側（小屋裏側）の両側部に垂木５２が設置されている場合には、ワッシャ付ナット部材５１は、ワッシャ部５１ａが左右の垂木５２間の間隔よりも小径のものを使用し、垂木５２の奥まで届くように、また、ボルト部１１の胴部１１ｂと干渉しないように、電動締結工具などの先端部にロングソケット５３を取付けて、ロングソケット５３を用いてワッシャ付ナット部材５１のボルト部１１への螺着を行うようにする。
【００４２】
（８）屋根４１は、目地カバー部材４のカバー部１３に設けた化粧材固定部３６（図１０参照）に、図２に示すように、化粧材３５が固定されるようにしても良い。
【００４３】
ここで、化粧材３５は、例えば、傾斜屋根部４１ｂの水上側の縁部に取付ける水上カバー３５ａなどとすることができる。水上カバー３５ａは、少なくとも、傾斜屋根部４１ｂの上縁部に設けた水上受鋼板５５（図１０参照）と、目地カバー部材４の上端側に設けた化粧材固定部３６との上部間に跨るように設置される。なお、第１の防水材２１の延長部２５は、目地カバー部材４における水上側の端部に設けて、化粧材３５で覆われるようにする。
【００４４】
＜作用＞以下、この実施例の作用について説明する。
【００４５】
例えば、ユニット建物１ａなどの建物１は、予め工場で製造した複数の建物ユニット５を建築現場へ搬送して、建築現場で組み立てた後に、最上階の建物ユニット５の上部に屋根４１を設置することで構築される。この際、屋根４１は、建物１の中央の上部に水平屋根部４１ａを設置して、水平屋根部４１ａの周りに、傾斜屋根部４１ｂを設けることなどによって形成することができる。
【００４６】
傾斜屋根部４１ｂは、予め工場で組み立てた屋根面材２ａを並べて、屋根面材２ａ間の目地部３に現地で目地カバー部材４を取付けることによって構築する。そして、目地カバー部材４の取付け後に、傾斜屋根部４１ｂの水上部分に化粧材３５を取付ける。
【００４７】
＜効果＞この実施例によれば、以下のような効果を得ることができる。
【００４８】
（効果１）目地カバー部材４が、ボルト部１１とボルト支持部１２とカバー部１３とを（一体に）備えた。これにより、ボルト部１１とボルト支持部１２とカバー部１３とを予め一体に備えた組立部品として、工場で目地カバー部材４を製造することができる。よって、目地カバー部材４を低コストで量産することができる。そして、目地カバー部材４を上記組立部品とすることで、少ない作業工数で屋根４１に簡単に目地カバー部材４を取付けることができるようになる。
【００４９】
即ち、面材２間の目地部３に目地カバー部材４のボルト部１１を面材２の外面側から内面側へ向けて挿通し、この状態で、面材２の内面側（屋内側）からワッシャ付ナット部材５１などの締結具を螺着することで、この締結具が面材２の内面側に係止されて、目地部３に目地カバー部材４が保持される。
【００５０】
これにより、屋内側からのワッシャ付ナット部材５１の取付けで目地カバー部材４を建物１の外面に設置することができる。そのため、建物１の外側から行う作業を減らして、作業負担を軽減することができる。
【００５１】
（効果２）目地カバー部材４は、ボルト支持部１２の内面側に、面材２の端縁部６間を防水可能な第１の防水材２１を設けても良い。これにより、ボルト支持部１２を設置した範囲については、第１の防水材２１によって目地部３を確実に防水することができる。これにより、上記したように屋内側からの作業で目地カバー部材４を固定しても、目地カバー部材４を取付けた部分に防水ラインを構築することができるようになる。
【００５２】
（効果３）第１の防水材２１は、ボルト支持部１２の端部よりも目地部３の延設方向へ長く延びる延長部２５を有しても良い。これにより、第１の防水材２１の延長部２５を用いてボルト支持部１２を設置した範囲よりも広い範囲に対して目地部３を防水することができる。
【００５３】
（効果４）目地カバー部材４は、ボルト支持部１２とカバー部１３との間に、第２の防水材３１を設けても良い。これにより、第２の防水材３１を用いてボルト支持部１２とカバー部１３との間を確実に防水することができる。
【００５４】
（効果５）カバー部１３は、端部近傍の外面に化粧材固定部３６を設けても良い。これにより、化粧材固定部３６を用いて建物１の外面に化粧材３５を固定することができる。
【００５５】
（効果６）以下、屋根４１の効果について説明する。屋根面材２ａ間の目地部３に対して、上記目地カバー部材４を設置しても良い。これにより、上記目地カバー部材４で屋根面材２ａ間の目地部３を覆い隠すと共に目地部３を防水した屋根４１を建築現場で容易に構築することができる。
【００５６】
（効果７）目地カバー部材４は、屋根面材２ａ間の目地部３にボルト部１１を外面側から内面側へ向けて挿通した状態で、屋根面材２ａの内面側からワッシャ付ナット部材５１を螺着することで屋根面材２ａに固定しても良い。これにより、目地カバー部材４を小屋裏側（屋内側）からの作業で屋根４１に確実に取付けることができる。そのため、屋根４１の上側で行う作業を減らして、高所作業による負担を減らすことができる。特に、屋根４１が傾斜屋根部４１ｂなどのように傾斜している場合には、高所作業での作業負担を軽減する効果が大きくなる。
【００５７】
（効果８）屋根４１は、目地カバー部材４のカバー部１３に化粧材固定部３６を設けて、化粧材固定部３６に水上カバー３５ａなどの化粧材３５を固定するようにしても良い。これにより、化粧材固定部３６を用いて屋根４１に化粧材３５を固定することが可能になる。
【００５８】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５９】
１      建物
２      面材
２ａ    屋根面材
３      目地部
４      目地カバー部材
６      端縁部
１１    ボルト部
１１ａ  頭部
１２    ボルト支持部
１３    カバー部
２１    第１の防水材
２５    延長部
３１    第２の防水材３１
３５    化粧材
３６    化粧材固定部
４１    屋根
５１    ワッシャ付ナット部材
【図１】
2019015123.tif 000003
【図２】
2019015123.tif 000004
【図３】
2019015123.tif 000005
【図４】
2019015123.tif 000006
【図５】
2019015123.tif 000007
【図６】
2019015123.tif 000008
【図７】
2019015123.tif 000009
【図８】
2019015123.tif 000010
【図９】
2019015123.tif 000011
【図１０】
2019015123.tif 000012
【図１１】
2019015123.tif 000013
【図１２】
2019015123.tif 000014
【図１３】
2019015123.tif 000015